(57)【要約】【課題】光ファイバケーブルの空芯の検索と、敷設場所の特定を容易にする設備管理システムの提供を目的とするを提供する。【解決手段】複数の光ファイバケーブル１と、ハンドホール３０に設置され、複数の光ファイバケーブル１を相互に接続する光成端箱３１と、複数の光ファイバケーブル１の両端にそれぞれ取り付けられて個別の管理情報を記憶させるＩＣタグ１３と、ＩＣタグ１３の管理情報を読み書きするＩＣタグリーダライタ１４と、ＩＣタグリーダライタ１４を制御する携帯端末１２と、携帯端末１２と管理情報を相互に受け渡す設備管理データベース１０からなり、管理情報は、携帯端末１２のＧＰＳから取得する位置情報を含む設備管理システム１００を提供する。【選択図】図１
2012242529.tif 000002
【特許請求の範囲】
【請求項１】
複数の光ファイバケーブルと
ハンドホールに設置され、前記複数の光ファイバケーブルを相互に接続する光成端箱と、前記複数の光ファイバケーブルの両端にそれぞれ取り付けられて個別の管理情報を記憶させるＩＣタグと、
前記ＩＣタグの前記管理情報を読み書きするＩＣタグリーダライタと、
前記ＩＣタグリーダライタを制御する携帯端末と、
前記携帯端末と前記管理情報を相互に受け渡す設備管理データベースとからなる設備管理システムにおいて、
前記管理情報には、前記携帯端末のＧＰＳから取得する位置情報を含む設備管理システム。
【請求項２】
前記管理情報には、前記光ファイバケーブルが接続されている他の前記光ファイバケーブルの芯線番号を含む請求項１に記載の設備管理システム。
【請求項３】
前記管理情報には、前記管理情報の更新日時を含む請求項１又は請求項２に記載の設備管理システム。
【請求項４】
前記ＩＣタグに記録する前記管理情報を、前記携帯端末からネットワークを介して前記設備管理データベースに転送する請求項１乃至請求項３のいずれか１項に記載の設備管理システム。
【請求項５】
前記携帯端末は、前記設備管理データベースからダウンロードした前記位置情報を元に、前記位置情報が示す位置に向かう経路を示すナビゲーション機能を有する請求項１乃至請求項４のいずれか１項に記載の設備管理システム。
【請求項６】
前記位置情報に基づいて、前記ハンドホールと、敷設した前記光ファイバケーブルと、前記光ファイバケーブルの接続関係を示す設備概略図を、前記設備管理データベースに接続した端末に表示する請求項１乃至請求項５のいずれか１項に記載の設備管理システム。
【請求項７】
前記設備概略図を、地図にオーバレイして表示する請求項６に記載の設備管理システム。
【発明の詳細な説明】
【技術分野】
【０００１】
この発明は、通信用の設備管理システムに関するものであり、特に、光ファイバケーブルに取り付けたＩＣタグを利用して設備の管理を効率的に支援する設備管理システムに関するものである。
【背景技術】
【０００２】
従来のＩＣタグを利用した設備管理システムにおいては、ＩＣタグに設備情報を保持し、ＩＣタグリーダライタにてＩＣタグへの設備情報を書き込むとともに、通信ネットワークを介して、設備管理データベースに書き込み、現場情報と事務所の管理台帳との整合性を確保することを目的としたものが提案されている。（例えば特許文献１）
【先行技術文献】
【特許文献】
【０００３】
【特許文献１】特開２００７−１６３９６２号公報（第１−８頁、第１図）
【発明の概要】
【発明が解決しようとする課題】
【０００４】
道路管理に使用する光ファイバケーブルの敷設においては、通常は、間隔を開けて設置した複数のハンドホール間に光ファイバケーブルの空芯を張り巡らせ、これらを後日必要に応じて接続して利用に供するのが一般的である。
そうすると、ある場所から目的地まで回線を開通させるには、まず、事務所において空芯情報を検索し、中継地点に出向いて当該空芯を見つけ出し、これを次の空芯と接続して順次これを繰り返す必要がある。
従来の、道路管理システムにおいては、当該空芯やハンドホールが存在する位置を地図で正確に確かめながら照合する必要があり、非常に手間のかかる作業が必要であった。
【０００５】
この発明は、以上のような課題を解決するするためになされたものであり、ハンドホールへの空芯敷設時に、敷設した光ファイバケーブルの端部にＩＣタグを取り付け、これにＧＰＳ機能を有する携帯端末を接続したＩＣタグリーダライタから位置情報を含む敷設情報を記録し、このデータを設備管理データベースと共有することによって、以降の作業時に空芯の探査と、場所の特定を容易にする設備管理システムの提供を目的とする。
【課題を解決するための手段】
【０００６】
この発明に係る設備管理システムは、
複数の光ファイバケーブルと
ハンドホールに設置され、複数の光ファイバケーブルを相互に接続する光成端箱と、
複数の光ファイバケーブルの両端にそれぞれ取り付けられて個別の管理情報を記憶させるＩＣタグと、
ＩＣタグの管理情報を読み書きするＩＣタグリーダライタと、
ＩＣタグリーダライタを制御する携帯端末と、
前記携帯端末と管理情報を相互に受け渡す設備管理データベースとからなる設備管理システムにおいて、
管理情報は、携帯端末のＧＰＳから取得する位置情報とを含むものである。
【発明の効果】
【０００７】
この発明に係る設備管理システムは、
光ファイバケーブルに取り付けた各ＩＣタグに、携帯端末のＧＰＳから取得する位置情報を含む管理情報を記録し、この情報を設備管理データベースで共有しているので、ＧＰＳ携帯端末を利用して容易に作業対象の芯線が収容されているハンドホールにアクセスできる。
【図面の簡単な説明】
【０００８】
【図１】本発明の実施の形態１に係る設備管理システムの構成を示す図である。
【図２】本発明の実施の形態１に係るＩＣタグに記録されている、管理情報の一例を示す図である。
【図３】本発明の実施の形態１に係るハンドホールにおける光ファイバケーブルの接続例を示す図である。
【図４】本発明の実施の形態２に係る光ファイバケーブルの敷設、接続状態を示す設備概略図である。
【発明を実施するための形態】
【０００９】
実施の形態１．
以下、この発明の実施の形態１を図に基づいて説明する。
図１は、設備管理システム１００の構成図である。
設備管理データベース１０は、事務所等に設置され、光ファイバケーブル１の敷設、接続、メンテナンス情報等を蓄積している。
端末１１は、設備管理データベース１０に蓄積した情報を参照、編集可能な担当者用の端末である。
ＧＰＳ携帯端末１２は、通信ネットワーク２０を介して設備管理データベース１０と通接続可能であり、端末１１と同様に設備管理データベース１０の情報を参照、編集可能となっている。
【００１０】
図２は、芯線の端部に取り付けたＩＣタグに記録されている、管理情報４０の一例である。
道路沿いに間隔を開けて設置したハンドホール３０の光成端箱３１に一端を収容した光ファイバケーブルの端部には、それぞれＩＣタグ１３が取り付けられていて、光ファイバケーブルの敷設時には、このＩＣタグ１３に管理情報４０を記録しておく。
芯線番号は、ＩＣタグ１３が取り付けられている芯線固有の識別番号である。
位置情報Ａには、当該ＩＣタグ１３が現在存在する場所の住所、緯度経度、一端が収容されているハンドホール番号が記録されている。
位置情報Ｂには、当該芯線の他の一端に取り付けられているＩＣタグ１３の位置情報等が記録されている。
光ファイバケーブルを新設する時は、敷設時に緯度経度が書き込まれるので、他端の位置情報である位置情報Ｂは書き込まれている場合と、書き込まれていない場合がある。
路線情報には、ハンドホール３０の位置を示す他の識別情報が記録されている。
施工日時には、作業を行った日時を記録し、据付業者名には施行業者の名前を記録する。
その他、管理情報４０には、光ケーブルの種別や距離、当該ケーブルが使用されているか否かの情報などが記録されている。
【００１１】
図３は、ハンドホール３０における光ファイバケーブルの接続例を示している。１ａ〜１ｄ、２ａ、２ｂ、３ａは、光ファイバケーブルの芯線を示している。この例では、芯線１ａの接続先が芯線３ａであり、芯線１ｂの接続先が芯線２ａであり、芯線１ｃの接続先が芯線２ｂであることを示している。
このような接続情報が、「接続情報」の欄に記載される。なお、芯線は送受信用が２本で１組となっている。
【００１２】
ＩＣタグ１３に管理情報４０を記録するには、ＧＰＳ携帯端末１２に接続したＩＣタグリーダライタ１４を使用する。ＩＣタグ１３には、当該光ファイバケーブルの敷設時の情報の一部として、そのＩＣタグ１３の位置を「位置情報Ａ」として記録する。
位置情報は、ＧＰＳ携帯端末１２を利用してＧＰＳ衛星から取得する。
【００１３】
既に敷設済みの光ファイバケーブルの空芯を利用して回線を接続する手順について説明する。
ハンドホール３０内で光ファイバケーブルの接続・分岐工事を行う場合は、まず、事務所の設備管理データベース１０を検索し、工事対象エリアの光ファイバケーブルの空芯を確認し、当該芯線の管理情報４０をＧＰＳ携帯端末１２にダウンロードする。
位置情報Ａを元に、ＧＰＳ携帯端末１２のナビゲーション機能を利用することにより、容易に目的の芯線があるハンドホール３０にアクセスできる。
【００１４】
ハンドホール３０では、ＧＰＳ携帯端末１２により位置情報を受信し、ＩＣタグ１３に記録された管理情報４０をＩＣタグリーダライタ１４から読み取り、設備管理データベース１０からダウンロードした光ファイバケーブルの管理情報４０と不整合が無いことを確認する。
【００１５】
現場における作業が終了すると、今回の作業内容、接続情報等をＧＰＳ携帯端末１２で編集し、ＩＣタグリーダライタ１４を用いて速やかに当該光ファイバケーブルに取り付けられているＩＣタグ１３に管理情報４０として上書きして更新する。
また、同じ内容の管理情報４０は、ＧＰＳ携帯端末１２から通信ネットワーク２０を介して設備管理データベース１０に送信され、設備管理データベース１０の内容が更新される。
【００１６】
この発明の実施の形態１に係る設備管理システム１００によれば、ＧＰＳ携帯端末を利用して容易に作業対象の芯線が収容されているハンドホール３０にアクセスできる。
また、ＩＣタグ１３と設備管理データベース１０に保持されている光ファイバケーブルの接続関係を相互に最新の状態で保持できるので、現場での光ファイバケーブルの接続状態の把握と作業後の情報の更新が容易に実現できる。
【００１７】
また、ＧＰＳ携帯端末１２に保持された管理情報４０をリアルタイムに通信ネットワーク２０を経由して設備管理データベース１０に送信して整合性を確保するので、データ更新のタイムラグによって引き起こされる現場の混乱を防止できる。
また、設備管理データベース１０にて、登録・変更された日時とともに管理情報を蓄積することにより、光ファイバケーブルの工事履歴を把握することができ、使用頻度、増設の可否を検討するための情報として利用できる。
さらに、接続情報を重点的に管理できるデータベースが構築できるので、現在の光ファイバケーブルの使用状況を視覚的に把握しやすくなるという利点がある。
【００１８】
実施の形態２．
図４は、設備管理データベース１０に保存する芯線の管理情報４０を利用して、光ファイバケーブルの敷設、接続状況を示す設備概略図を設備管理データベース１０に接続した端末１１の画面に表示した状態を示す図である。
管理情報４０により、ハンドホール３０と光ファイバケーブルの接続状況が視覚的に表示できる。
また、図示しないが、実際の地図上にオーバレイして表示するＧＩＳ機能を利用しても良い。画面は、必要に合わせて拡大縮小して表示できる。
本発明の実施の形態２に係る設備管理システムによれば、従来の平面図とは異なり、光ファイバケーブルの接続図として重要な接続点の把握が容易になるという効果がある。
【００１９】
更に、データベースとの組み合わせにより、選択した光ファイバケーブルの色指定表示などの視覚的な表示方法を保持することで、選択した光ファイバケーブルの起点・終点の把握、使用状況の把握が容易になるという利点がある。
【符号の説明】
【００２０】
１  光ファイバケーブル、１ａ〜１ｄ，２ａ，２ｂ，３ａ  芯線、
１０  設備管理データベース、１１  端末、１２  ＧＰＳ携帯端末、１３  ＩＣタグ、
１４  ＩＣタグリーダライタ、２０  通信ネットワーク、３０  ハンドホール、
４０  管理情報、１００  設備管理システム。
【図１】
2012242529.tif 000003
【図２】
2012242529.tif 000004
【図３】
2012242529.tif 000005
【図４】
2012242529.tif 000006